(57)【要約】      （修正有）【課題】座席又は椅子の背もたれ部の任意の高さに、容易かつ確実にクッションを取り付けるためのバンド部材及びそれを用いた組立体を提供する。【解決手段】バンド部材１は、第１端部２から第２端部３にのびかつ屈曲自在なバンド本体４と、第１端部側に設けられかつクッション１１を取り付けるための第１取付部５と、第２端部側に設けられかつ錘１２を取り付けるための第２取付部６とを含む。第１取付部は、第１端部側に取り付けられたリング部材９と、リング部材内に通されたリング部材よりも第２端部側のバンド本体とからなる拡縮径可能なループ状部分１０であり、第２取付部は、錘を取り出し自在に収容する袋状部であることが好ましい。【選択図】図２
0003202841.tif 000002
【実用新案登録請求の範囲】
【請求項１】
第１端部から第２端部にのびかつ屈曲自在なバンド本体と、
前記第１端部側に設けられかつクッションを取り付けるための第１取付部と、
前記第２端部側に設けられかつ錘を取り付けるための第２取付部とを含むことを特徴とするバンド部材。
【請求項２】
前記第１取付部は、前記バンド本体の前記第１端部側に取り付けられたリング部材と、
前記リング部材内に通された前記リング部材よりも前記第２端部側の前記バンド本体とからなる拡縮径可能なループ状部分である請求項１に記載のバンド部材。
【請求項３】
前記第２取付部は、前記錘を取り出し自在に収容する袋状部である請求項１又は２記載のバンド部材。
【請求項４】
前記バンド本体には、他の部位よりも高い摩擦力を発生させる滑り止め部が設けられている請求項１乃至３のいずれかに記載のバンド部材。
【請求項５】
前記滑り止め部は、前記バンド本体の長さ方向にスライド可能に装着された滑り止めパッドである請求項４に記載のバンド部材。
【請求項６】
請求項１乃至５のいずれかに記載のバンド部材と、前記第１取付部に取り付けられた前記クッションとを含むことを特徴とする組立体。
【請求項７】
請求項１乃至５のいずれかに記載のバンド部材と、前記第２取付部に取り付けられた錘とを含むことを特徴とする組立体。
【請求項８】
請求項１乃至５のいずれかに記載のバンド部材と、前記第１取付部に取り付けられた前記クッションと、前記第２取付部に取り付けられた錘とを含むことを特徴とする組立体。
【請求項９】
前記錘の重量は、前記クッションの重量の９０％〜１１０％である請求項８に記載の組立体。
【請求項１０】
前記クッションは、マッサージ機能を有する請求項６、８又は９のいずれかに記載の組立体。
【考案の詳細な説明】
【技術分野】
【０００１】
本考案は、クッションを取り付けるためのバンド部材及びそれを用いた組立体に関する。
【背景技術】
【０００２】
従来、クッションを、座席や椅子の背もたれ部の任意の高さに取り付けるバンド部材及び組立体が提案されている。例えば、下記特許文献１のバンド部材及び組立体は、背もたれ部に巻きつけて、固定手段により固定することで、座席の任意の高さにクッションを取り付けている。
【先行技術文献】
【特許文献】
【０００３】
【特許文献１】実願平０１−００６６０４号（実開平０２−０９６９４５号）のマイクロフィルム
【考案の概要】
【考案が解決しようとする課題】
【０００４】
しかしながら、特許文献１のバンド部材及び組立体は、高さを調整する度に、バンド本体の固定手段を外す必要があり、多くの時間を要していた。また、背もたれ部の形状によっては、背中との接触や振動等により、クッションの高さが変化してしまうという問題があった。
【０００５】
本考案は、以上のような実状に鑑み案出されたもので、座席又は椅子の背もたれ部の任意の高さに、容易かつ確実にクッションを取り付けるためのバンド部材及びそれを用いた組立体を提供することを主たる目的としている。
【課題を解決するための手段】
【０００６】
本考案は、第１端部から第２端部にのびかつ屈曲自在なバンド本体と、前記第１端部側に設けられかつクッションを取り付けるための第１取付部と、前記第２端部側に設けられかつ錘を取り付けるための第２取付部とを含むことを特徴とするバンド部材である。
【０００７】
本考案に係るバンド部材において、前記第１取付部は、前記バンド本体の前記第１端部側に取り付けられたリング部材と、前記リング部材内に通された前記リング部材よりも前記第２端部側の前記バンド本体とからなる拡縮径可能なループ状部分であるのが望ましい。
【０００８】
本考案に係るバンド部材において、前記第２取付部は、前記錘を取り出し自在に収容する袋状部であるのが望ましい。
【０００９】
本考案に係るバンド部材において、前記バンド本体には、他の部位よりも高い摩擦力を発生させる滑り止め部が設けられているのが望ましい。
【００１０】
本考案に係るバンド部材において、前記滑り止め部は、前記バンド本体の長さ方向にスライド可能に装着された滑り止めパッドであるのが望ましい。
【００１１】
本考案は、上記のバンド部材と、前記第１取付部に取り付けられた前記クッションとを含むことを特徴とする組立体であるのが望ましい。
【００１２】
本考案は、上記のバンド部材と、前記第２取付部に取り付けられた錘とを含むことを特徴とする組立体であるのが望ましい。
【００１３】
本考案は、上記のバンド部材と、前記第１取付部に取り付けられた前記クッションと、前記第２取付部に取り付けられた錘とを含むことを特徴とする組立体であるのが望ましい。
【００１４】
本考案に係る組立体において、前記錘の重量は、前記クッションの重量の９０％〜１１０％であるのが望ましい。
【００１５】
本考案に係る組立体において、前記クッションは、マッサージ機能を有するのが望ましい。
【考案の効果】
【００１６】
本考案のバンド部材は、第１端部から第２端部にのびかつ屈曲自在なバンド本体と、第１端部側に設けられかつクッションを取り付けるための第１取付部と、第２端部側に設けられかつ錘を取り付けるための第２取付部とを含んでいる。このようなバンド部材は、バンド本体が座席又は椅子に背もたれ部の上部を介して取り付けられることで、第１取付部と第２取付部とを背もたれ部の前後に配置することができる。
【００１７】
このため、第１取付部に取り付けられるクッションの重量と第２取付部に取り付けられる錘の重量とが均衡することで、クッションの背もたれ部に対する高さ方向の位置が、確実に保持され得る。また、クッションの背もたれ部に対する高さ方向の位置は、無段階で調整することができ、さらに、その高さ方向の位置調整も、容易に行われ得る。
【００１８】
以上のように、本考案のバンド部材は、座席又は椅子の背もたれ部の形状によらず、クッションの高さを容易に調整することができ、かつ、その位置を確実に保持することができる。
【図面の簡単な説明】
【００１９】
【図１】本実施形態のバンド部材を示す平面図である。
【図２】使用状態のバンド部材を示す斜視図である。
【図３】第２取付部の側面図である。
【図４】使用状態の組立体を示す側面図である。
【図５】使用状態の組立体を示す正面図である。
【考案を実施するための形態】
【００２０】
以下、本考案の実施の一形態が図面に基づき説明される。
図１は、本実施形態のバンド部材１を示す平面図であり、図２は、使用状態のバンド部材１を示す斜視図である。図１及び図２に示されるように、本実施形態のバンド部材１は、第１端部２から第２端部３にのびるバンド本体４と、第１端部２側に設けられかつクッション１１を取り付けるための第１取付部５と、第２端部３側に設けられかつ錘１２を取り付けるための第２取付部６とを含んでいる。
【００２１】
バンド本体４は、屈曲自在な材質、例えば、ナイロン等の合成繊維により形成されている。バンド本体４は、第１端部２から第２端部３にかけて、略一定の幅Ｗ１を有するのが望ましい。バンド本体４は、例えば、縫製等により補強されていてもよい。
【００２２】
バンド本体４には、他の部位よりも高い摩擦力を発生させる滑り止め部７が設けられているのが望ましい。本実施形態の滑り止め部７は、バンド本体４の長さ方向にスライド可能に装着された滑り止めパッド８である。
【００２３】
滑り止めパッド８は、滑り止め本体８Ａと滑り止めカバー８Ｂとを有しているのが望ましい。滑り止め本体８Ａは、例えば、片面又は両面が滑りにくい生地で構成されている。滑り止め本体８Ａは、バンド本体４の長さ方向に細長い長方形又は小判形であるのが望ましい。滑り止めカバー８Ｂは、滑り止め本体８Ａと、バンド本体４の幅方向の両側が固着されている。滑り止めカバー８Ｂは、例えば、屈曲性に優れた生地で構成されている。
【００２４】
本実施形態の第１取付部５は、バンド本体４の第１端部２側に取り付けられたリング部材９を含んでいる。リング部材９は、例えば、金属等の硬質の材料により構成されている。リング部材９は、バンド本体４の第１端部２側を第２端部３側に折り返して固着することで、バンド本体４に回動自在に取り付けられるのが望ましい。リング部材９は、その内部にバンド本体４を挿通可能な直径を有しているのが好ましい。
【００２５】
図２に示されるように、本実施形態の第１取付部５は、リング部材９と、リング部材９内に通されたリング部材９よりも第２端部３側のバンド本体４とからなる拡縮径可能なループ状部分１０である。このとき、滑り止め部７である滑り止めパッド８は、リング部材９よりも第２端部３側に位置している。
【００２６】
第１取付部５は、ループ状部分１０にクッション１１が挿通され、ループ状部分１０を縮径することで、クッション１１が取り付けられる。このような第１取付部５は、クッション１１を短時間に容易に取り付けることができる。また、第１取付部５は、ループ状部分１０が縮径されることにより、クッション１１が移動することを防止し得る。
【００２７】
図３には、第２取付部６の側面図が示されている。図３に示されるように、本実施形態の第２取付部６は、錘１２を取り出し自在に収容する袋状部６Ａであるのが望ましい。このような第２取付部６は、必要に応じ、錘１２の重量を調整することが容易であるとともに、例えば、錘１２を取り出して洗濯することができる等、衛生面での管理も容易である。
【００２８】
袋状部６Ａは、例えば、ファスナー１３により、開閉自在に構成されている。このため、錘１２は、ファスナー１３を開けることで、袋状部６Ａから取り出し自在である。また、錘１２は、ファスナー１３を閉めることで、袋状部６Ａ内に収容されたときに、脱落するおそれがない。
【００２９】
図１及び図３に示されるように、本実施形態の第２取付部６は、略円筒形状である。また、錘１２は、例えば、略円筒形状の１つの金属体として構成されている。このような第２取付部６は、他の物や人に接触しても傷つけるおそれが少ない。なお、第２取付部６の形状は、任意の形状を採用することができる。
【００３０】
図２及び図３に示されるように、本実施形態では、バンド部材１と、第１取付部５に取り付けられたクッション１１と、第２取付部６に取り付けられた錘１２とを適宜含む組立体１４として構成されるのが望ましい。このような組立体１４は、椅子Ｓ１（図４及び図５に示す）に容易に取り付けることができる。
【００３１】
組立体１４は、例えば、バンド部材１と、第１取付部５に取り付けられたクッション１１とを含む態様であってもよい。また、組立体１４は、例えば、バンド部材１と、第２取付部６に取り付けられた錘１２とを含む態様であってもよい。
【００３２】
次に、図４及び図５を用いて、本実施形態のバンド部材１及びそれを用いた組立体１４の使用方法が説明される。図４は、使用状態の組立体１４を示す側面図であり、図５は、使用状態の組立体１４を示す正面図である。図４及び図５に示されるように、本実施形態の組立体１４は、バンド部材１と、第１取付部５に取り付けられたクッション１１と、第２取付部６に取り付けられた錘１２とを含んでいる。
【００３３】
本実施形態では、組立体１４は、椅子Ｓ１の背もたれ部Ｓ２の前後に、第１取付部５に取り付けられたクッション１１と第２取付部６に取り付けられた錘１２とを配置している。このとき、バンド部材１は、椅子Ｓ１に、背もたれ部Ｓ２の上部を介して取り付けられている。バンド部材１と背もたれ部Ｓ２の上部との接する部位には、滑り止めパッド８が配置される。このため、組立体１４は、その位置を容易に固定することができる。また、バンド部材１と背もたれ部Ｓ２とは、直接接触することがなく、バンド部材１の耐久性が向上し得る。
【００３４】
本実施形態のバンド部材１は、多くの椅子Ｓ１の背もたれ部Ｓ２の形状に適合させるために、高い屈曲性が求められるとともに、適切なバンド本体４の大きさを必要としている。
【００３５】
図１に示されるように、バンド本体４の長さＬ１は、好ましくは、８００〜１５００mmである。バンド本体４の長さＬ１が８００mmより小さい場合、第１取付部５の高さ方向の調整範囲が小さくなるおそれがある。また、バンド本体４の長さＬ１が１５００mmより大きい場合、第２取付部６が床面等に接触することにより、第１取付部５の高さ方向の調整範囲が小さくなるおそれがある。
【００３６】
バンド本体４の幅Ｗ１は、好ましくは、１０〜３０mmである。バンド本体４の幅Ｗ１が１０mmより小さい場合、バンド本体４の耐久性が低下するおそれがある。また、バンド本体４の幅Ｗ１が３０mmより大きい場合、バンド本体４の屈曲性が低下するおそれがある。
【００３７】
バンド本体４の厚さｔ（図３に示す）は、好ましくは、５mm以下である。バンド本体４の厚さｔが５mmより大きい場合、バンド本体４の屈曲性が低下するおそれがある。
【００３８】
滑り止めパッド８の長さＬ２は、好ましくは、１００〜２５０mmである。また、滑り止めパッド８の幅Ｗ２は、好ましくは、３０〜７０mmである。このような滑り止めパッド８は、バンド部材１の屈曲性を低下させることなく、十分な滑り止め効果が得られる。また、図４及び図５に示されるように、上述の滑り止めパッド８は、バンド本体４及び椅子Ｓ１の背もたれ部Ｓ２を保護することができ、バンド本体４の耐久性を向上させ得る。
【００３９】
クッション１１は、椅子Ｓ１の背もたれ部Ｓ２の前側に、錘１２は、椅子Ｓ１の背もたれ部Ｓ２の後側に、それぞれ配置されている。このとき、錘１２の重量は、クッション１１の重量の９０％〜１１０％であるのが望ましい。このようなクッション１１と錘１２とは、その重量が均衡するので、クッション１１が椅子Ｓ１の座面Ｓ３に接触することなく、クッション１１の椅子Ｓ１の背もたれ部Ｓ２に対する高さ方向の位置が、確実に保持され得る。
【００４０】
また、バンド本体４と滑り止めパッド８とをスライドさせることで、クッション１１は、椅子Ｓ１の背もたれ部Ｓ２に対する高さ方向の位置を、無段階に調整することができる。このとき、クッション１１と錘１２とは、その重量が均衡しているので、その高さ方向の位置調整は、容易に行われ得る。
【００４１】
クッション１１は、バンド部材１の第１取付部５が取り付けられる中央部分が、他の部分より細くくびれた形状であるのが望ましい。このようなクッション１１は、第１取付部５のループ状部分１０が縮径することで確実に固定されるので、バンド部材１から脱落するおそれがない。
【００４２】
本実施形態のクッション１１は、複数のもみ玉を備えるマッサージ機能を有している。このようなクッション１１は、もみ玉の間にバンド部材１が取り付けられるので、マッサージ機能に影響を及ぼすおそれがない。また、マッサージ機能を有するクッション１１は、その椅子Ｓ１の背もたれ部Ｓ２に対する高さ方向の位置が任意に調整可能であるので、首から腰にかけての任意の部位をマッサージすることができる。
【００４３】
本実施形態の錘１２は、クッション１１の９０％〜１１０％の重量を有する１つの金属体として構成されている。錘１２は、例えば、複数の金属体からなり、クッション１１の重量に応じて適宜調整可能に構成されてもよい。このような錘１２は、異なるクッション１１に変更した場合にも、その重量を容易に変更することができる。
【００４４】
以上、本考案の特に好ましい実施形態について詳述したが、本考案は図示の実施形態に限定されることなく、種々の態様に変形して実施し得る。
【００４５】
例えば、上述の実施形態では、滑り止め部７は、滑り止めパッド８であったが、バンド本体４の片面又は両面に直接設けられてもよい。この場合、滑り止め部７の構造は、バンド本体４の長さ方向にスライド可能なものが望ましい。また、滑り止めパッド８は、滑り止め本体８Ａと滑り止めカバー８Ｂとを固着する態様であったが、例えば、ゴムや合成樹脂等により、一体的に形成されてもよい。
【００４６】
上述の実施形態では、クッション１１は、マッサージ機能を有していたが、マッサージ機能を有さない通常のクッション１１や枕等であってもよく、また、温熱機能等を有するクッション１１であってもよい。
【００４７】
上述の実施形態では、組立体１４は、１つのバンド部材１と１つのクッション１１と１つの錘１２とで構成されていたが、クッション１１の形状によっては、そのクッション１１と２つのバンド部材１と２つの錘１２とで構成されてもよい。例えば、横長のクッション１１や枕が、ソファやリクライニング機能付きのベッドで用いられる場合、当該クッション１１又は枕の左右両側にそれぞれバンド部材１が取り付けられてもよい。この場合、２つの錘１２の重量の合計が、クッション１１又は枕の重量の９０％〜１１０％であればよい。
【符号の説明】
【００４８】
１  バンド部材
２  第１端部
３  第２端部
４  バンド本体
５  第１取付部
６  第２取付部
１１  クッション
１２  錘
【図１】
0003202841.tif 000003
【図２】
0003202841.tif 000004
【図３】
0003202841.tif 000005
【図４】
0003202841.tif 000006
【図５】
0003202841.tif 000007